(57)【要約】【課題】製造コストを低減でき、一部が故障した場合その故障部分だけを交換すれば良いホイールナットカバー構造を提供する。【解決手段】主として、ナット主体とナット蓋との両部分から構成され、ナット蓋は発光するか発光しないかの各種類の造型や模様に設計でき、また、ナット主体は、上部の周縁において、適当な位置に若干の凹槽が設けられ、ナット蓋とナット主体とがねじによって螺合されると、ホイールナットカバーが完成し、ナット蓋は、発光形態である場合、造型体とＩＣ板及び収納体からなり、ナット主体に螺合されることだけで利用でき、また、ホイールナットカバーのナット蓋とナット主体は一体成型ではないため、一つのナット主体に各種類の異なる造型や模様であるナット蓋を利用できる。【選択図】図１
0003126659.tif 000002
【実用新案登録請求の範囲】
【請求項１】
中心に、ねじが挿設されるための貫通孔が設けられ、上部の周縁に、二つの凹槽が設けられるナット主体と、
ナット主体の大きさに合わせる大きさで、当該ナット主体の上部に嵌合され、外形が必要に応じて発光するか発光しないかの各種類の造型や模様に設計され、また、底部の中心に、ねじが螺着されるためのねじ穴が形成されるナット蓋と、
が含有され、
また、タイヤから取り外すための挟み取りグリップが用意される、
ことを特徴とするホイールナットカバー構造。
【請求項２】
当該ナット主体の上部に設けられた凹槽の代わりに、複数の凹槽や一回りの溝が設けられることを特徴とする請求項１に記載のホイールナットカバー構造。
【請求項３】
当該ナット蓋が、造型体とＩＣ板及び収納体からなることを特徴とする請求項１に記載のホイールナットカバー構造。
【請求項４】
当該挟み取りグリップの両側において、適当な位置に内側へ傾斜する凸縁が設けられることを特徴とする請求項１に記載のホイールナットカバー構造。
【請求項５】
当該ナット蓋内のＩＣ板が、インダクタや振動器により、当該ＬＥＤ灯を駆動し、当該ＬＥＤ灯が、電池によって給電されて発光し、当該光が、当該ナット蓋の造型体の上部から出射することを特徴とする請求項３に記載のホイールナットカバー構造。
【考案の詳細な説明】
【技術分野】
【０００１】
本考案は、ホイールナットカバー構造に関し、特に、ナット蓋とナット主体とが、一体成型ではない装卸式で、当該ナット蓋が、必要に応じて発光するか発光しないかの各種類の造型を設計できるものに関する。
【背景技術】
【０００２】
市販のホイールナットカバー１は、図１１のように、プラスチックで射出した一体成型のものであり、その上部において、適当な位置に、塗装により必要な模様や色を作り、このようなホイールナットカバー１は、一体成型であるため、造型や模様を変更する場合、それぞれ、各ホイールナットカバー１の所定の位置について行わなければならなく、即ち、一つのホイールナットカバー１に、１種類の造型や模様しか実現できず、そのため、製造コストが高く付き、また、ユーザーが、好みに合わせて造型や模様を変更する時、ホイールナットカバー１全体を取り外してから交換しなければならないため、消費コストが高く付き、上記のように、既存のホイールナットカバー１は、製造者や消費者にとって、コストが高く、また、模様や図柄しか変化できず、そのため、自動車のタイヤの美観性を向上してより良い視覚効果を得られない。
【考案の開示】
【考案が解決しようとする課題】
【０００３】
本考案の目的は、主として、ナット主体とナット蓋との両部分から構成され、両者が装卸可能であることにより、故障した部分だけを交換すれば良いホイールナットカバー構造を提供する。
【課題を解決するための手段】
【０００４】
請求項１の考案は、中心に、ねじが挿設されるための貫通孔が設けられ、上部の周縁に、二つの凹槽が設けられるナット主体と、ナット主体の大きさに合わせる大きさで、当該ナット主体の上部に嵌合され、外形が必要に応じて発光するか発光しないかの各種類の造型や模様に設計され、また、底部の中心に、ねじが螺着されるためのねじ穴が形成されるナット蓋と、が含有され、また、タイヤから取り外すための挟み取りグリップが用意されることを特徴とするホイールナットカバー構造である。
【０００５】
請求項２の考案は、当該ナット主体の上部に設けられた凹槽の代わりに、複数の凹槽や一回りの溝が設けられることを特徴とする請求項１に記載のホイールナットカバー構造である。
【０００６】
請求項３の考案は、当該ナット蓋が、造型体とＩＣ板及び収納体からなることを特徴とする請求項１に記載のホイールナットカバー構造である。
【０００７】
請求項４の考案は、当該挟み取りグリップの両側において、適当な位置に内側へ傾斜する凸縁が設けられることを特徴とする請求項１に記載のホイールナットカバー構造である。
【０００８】
請求項５の考案は、当該ナット蓋内のＩＣ板が、インダクタや振動器により、当該ＬＥＤ灯を駆動し、当該ＬＥＤ灯が、電池によって給電されて発光し、当該光が、当該ナット蓋の造型体の上部から出射することを特徴とする請求項３に記載のホイールナットカバー構造である。
【考案を実施するための最良の形態】
【０００９】
本考案に係わるホイールナットカバー２は、図１乃至３を参照しながら、主として、ナット主体２０とナット蓋２１とがあり、また、当該ホイールナットカバー２を自動車タイヤから挟み取るための挟み取りグリップ３があり、当該挟み取りグリップ３は、両側において、適当な位置に内側へ傾斜する凸縁３０が設けられ、当該ナット主体２０は、プラスチックやアルミである材質からなり、その中心に、ねじ２２を挿設するための貫通孔２００が設けられ、その上部の周縁に、二つや複数の凹槽２０１が設けられ、ナット蓋２１は、当該ナット主体２０の大きさに合わせる大きさで、当該ナット主体２０の上部に嵌合でき、その外形として、必要に応じて、各種類の発光するか発光しない造型や模様に設計でき、その底部の中心に、ねじ２２が螺着できるねじ穴２１６が形成され、また、図４を参照しながら、当該ナット蓋２１をナット主体２０の上部に位置付け、ねじ２２をナット主体２０の底部から貫通孔２００を挿設してナット蓋２１の底部のねじ穴２１６に螺合することにより、当該ナット蓋２１とナット主体２０とが、ホイールナットカバー２に結合され、本考案のナット主体２０は、その上部に設けられる凹槽２０１の代わりに、一回りの溝２０２であってもよく、図５乃至７を参照しながら、ナット蓋２１が発光形態である時、当該ナット蓋２１は、造型体２１０とＩＣ板２１１と収納体２１２とからなり、当該造型体２１０は、ナット主体２０の大きさに合わせる大きさで、ナット主体２０の上部に嵌合でき、その上面が、必要に応じて各種類の透過できる造型や模様に設計でき、その底部の中心に、収納体２１２と螺合するためのねじ穴２１３が形成され、ＩＣ板２１１は、その底部に、給電のための電池２１８が設けられ、その上部の中心に、ＬＥＤ灯２１７が設けられ、また、適当な位置に、当該ＬＥＤ灯２１７の発光を駆動するためのインダクタや振動器２１９が設けられ、収納体２１２は、その外表面に、造型体２１０のねじ穴２１３と螺合するための雄ねじ２１４が設けられ、その上部に、ＩＣ板２１１を収納するための収納槽２１５が設けられ、その底部の中心に、ねじ２２が螺着するためのねじ穴２１６が設けられ、ＩＣ板２１１を収納体２１２の上部に設けられる収納槽２１５内に収納し、当該ＩＣ板２１１が収納された収納体２１２を、造型体２１０の底部に設けられるねじ穴２１３に合わせて、当該ねじ穴２１３の雌ねじと収納体２１２の雄ねじ２１４とが螺合することにより、発光形態のナット蓋２１が形成され、そして、上記の発光形態のナット蓋２１とナット主体２０とを、ねじ２２により螺合すると、発光のホイールナットカバー２が形成される。
【００１０】
本考案は、発光形態ではない場合、自動車タイヤ４に実装する時、図８のように、自動車ホイールの全てのねじ４１に、当該ホイールナットカバー２を嵌設し、これにより、当該自動車タイヤ４の美観性が向上され、また、本考案は、発光形態である場合、自動車タイヤ４に実装する時、図６と９のように、自動車ホイール４０の何れかの一つのねじ４１に、当該ホイールナットカバー２を嵌設すると、自動車が走行する時、当該ナット蓋２１のＩＣ板２１１が、設置されたインダクタや振動器２１９により、誘導や振動或いは他の方式で当該ＬＥＤ灯２１７を駆動し、当該ＬＥＤ灯２１７が、電池２１８から給電されることにより発光し、そして、当該光が、ナット蓋２１の造型体２１０の上部から外部へ出射し、これにより、自動車が、夜間で走行する時、タイヤ４により、美観性が向上され、また、当該ホイールナットカバー２を、自動車タイヤ４から取り外す時（図１０を参照しながら）、当該挟み取りグリップ３で、両側にある凸縁３０を当該ホイールナットカバー２のナット主体２０の上部に設けられた凹槽２０１に係合してから、その凸縁３０の上面３０１がナット蓋２１の底面２２０に抵当するため、外力でナットカバー２全体を取り外すことができ、当該ホイールナットカバー２が故障した場合、ホイールナットカバー２全体を交換する必要が無く、当該故障したナット主体２０やナット蓋２１を交換すれば良く、また、ユーザーが、他の造型や模様に変更したい時、ナット蓋２１を外して、他の造型や模様であるナット主体２０と同じサイズのナット蓋２１を付け直せば良い。
【００１１】
本考案は、次の利点が得られる。
【００１２】
本考案によれば、ナット主体２０とナット蓋２１との両部分からなるため、ナット主体２０に、多種類の造型や模様である同じサイズのナット蓋２１が交換でき、即ち、一つのナット主体２０に多種類の造型のナット蓋２１が適用でき、製造コストを低減できる。
【００１３】
本考案によれば、ナット主体２０とナット蓋２１との両部分からなるため、また、そのナット蓋２１を、発光するか発光しないかの造型や他の模様に変化できるから、ユーザーが、造型や模様を変更する時、ホイールナットカバー２全体を交換せず、ナット蓋２１だけの部分を交換すれば良く、使用コストを低減できる。
【００１４】
本考案によれば、そのナット蓋２１やナット主体２０が故障した場合、故障した部分だけを交換すれば良く、全体を交換することがないため、コストを低減できる。
【図面の簡単な説明】
【００１５】
【図１】本考案の立体組立て図
【図２】本考案の立体分解図
【図３】本考案の断面図
【図４】本考案に係わるナット主体の他の実施例の立体組立て図
【図５】本考案に係わるナット蓋の他の実施例の立体組立て図
【図６】本考案に係わるナット蓋の他の実施例の立体分解図
【図７】本考案に係わるナット蓋の他の実施例の断面図
【図８】本考案の使用状態参考図１
【図９】本考案の使用状態参考図２
【図１０】本考案の取り外し動作の概念図
【図１１】従来の立体図
【符号の説明】
【００１６】
１        ホイールナットカバー
２        ホイールナットカバー
２０      ナット主体
２００    貫通孔
２０１    凹槽
２０２    溝
２１      ナット蓋
２１０    造型体
２１１    ＩＣ板
２１２    収納体
２１３    ねじ穴
２１４    雄ねじ
２１５    収納槽
２１６    ねじ穴
２１７    ＬＥＤ灯
２１８    電池
２１９    インダクタ或振動器
２２      ねじ
２２０    底面
３        挟み取りグリップ
３０      凸縁
３０１    上面
４        タイヤ
４０      ホイール
４１      ねじ
【図１】
0003126659.tif 000003
【図２】
0003126659.tif 000004
【図３】
0003126659.tif 000005
【図４】
0003126659.tif 000006
【図５】
0003126659.tif 000007
【図６】
0003126659.tif 000008
【図７】
0003126659.tif 000009
【図８】
0003126659.tif 000010
【図９】
0003126659.tif 000011
【図１０】
0003126659.tif 000012
【図１１】
0003126659.tif 000013